(57)【要約】【課題】  通話サービス及びデータ通信サービスを利用可能であり、大容量の記憶手段を備えることなく、データ通信サービスを単体で無理なく受けることができるとともに、網内に滞留するデータの増加を抑制することができる携帯電話機及び移動通信網を提供する。【解決手段】  使用者へ情報を提示するための液晶ディスプレイ１５と、電子メール（非接続型データ）を受信する着信受け付け部１６ａと、電子メールを格納するための記憶部１６ｄと、受信された電子メールを記憶部１６ｂに格納する格納部１６ｄと、通話モードの通信の終了時点を検出する通話終了検出部１６ｊと、記憶部１６ｂ内の電子メールの既読／未読状態を判別する既読／未読状態判別部１６ｋと、当該終了時点において、未読の電子メールが記憶部１６ｂ内に存在する場合には、その旨を液晶ディスプレイ１５により表示する未読通知部１６ｍとを有する。【選択図】    図５
2005137020.tif 000002
【特許請求の範囲】
【請求項１】
通信モードとして通話を行うための通話モードとデータ通信を行うためのデータモードとを有する携帯電話機であって、
使用者に情報を提示するための情報提示手段と、
非接続型データの着信を受け付けて該非接続型データを受信する着信受け付け手段と、
前記非接続型データを格納するための所定容量の記憶手段と、
前記着信受け付け手段により受信された前記非接続型データを前記記憶手段に格納する格納手段と、
前記通話モードの通信の終了時点を検出する通話終了検出手段と、
前記記憶手段に格納された前記非接続型データの既読／未読状態を判別する既読／未読状態判別手段と、
前記終了時点において、前記既読／未読状態判別手段により未読と判別された前記非接続型データが前記記憶手段に格納されている場合には、未読の非接続型データが存在する旨の情報を前記情報提示手段により提示させる未読通知制御手段と
を具備することを特徴とする携帯電話機。
【請求項２】
前記情報提示手段は表示面を有し、
前記未読通知制御手段は前記情報提示手段により、未読の非接続型データが存在する旨の画像を前記表示面に表示させる
ことを特徴とする請求項１に記載の携帯電話機。
【請求項３】
前記情報提示手段は発音可能な発音器を備え、
前記未読通知制御手段は前記発音手段の前記発音器により、前記未読の非接続型データが存在する旨の発音を行わせる
ことを特徴とする請求項１に記載の携帯電話機。
【請求項４】
通信モードとして通話を行うための通話モードとデータ通信を行うためのデータモードとを有する携帯電話機であって、
使用者に情報を提示するための情報提示手段と、
非接続型データの着信を受け付けて該非接続型データを受信する着信受け付け手段と、
前記非接続型データを格納するための所定容量の記憶手段と、
前記着信受け付け手段により受信された前記非接続型データを前記記憶手段に格納する格納手段と、
前記記憶手段に格納された前記非接続型データの既読／未読状態を判別する既読／未読状態判別手段と、
所定の状況下において、前記既読未読判別手段により未読と判別された前記非接続型データが前記記憶手段に格納されている場合には、利用者からの指示を入力することなく、前記記憶手段に格納されている未読の非接続型データを前記情報提示手段により自動的に提示させる自動未読提示制御手段と
を具備することを特徴とする携帯電話機。
【請求項５】
前記自動未読提示制御手段は提示し未読の非接続型データの既読／未読状態を未読のままとする
ことを特徴とする請求項４に記載の携帯電話機。
【請求項６】
前記情報提示手段は前記通話モードと前記データモードとで共用されることを特徴とする請求項１乃至５のいずれかに記載の携帯電話機。
【請求項７】
前記着信受け付け手段により着信が受け付けられた場合に、その旨を使用者に通知する着信通知手段
を具備することを特徴とする請求項１乃至６のいずれかに記載の携帯電話機。
【請求項８】
通信モードとして通話を行うための通話モードとデータ通信を行うためのデータモードとを有する携帯電話機であって、受信した情報を使用者に提示するための情報提示手段を備えた携帯電話機を収容可能な移動通信網であって、
前記携帯電話機宛の非接続型データの通信を受け付けて該非接続データを受信する通信受け付け手段と、
前記非接続型データを格納するための所定容量の網側記憶手段と、
前記通信受け付け手段により受信された前記非接続型データを前記記憶手段に格納する網側格納手段と、
前記携帯電話機による通話モードの通信の終了時点を検出する網側通話終了検出手段と、
前記記憶手段に格納された前記非接続型データの既読／未読状態を判別する網側既読／未読状態判別手段と、
前記終了時点において、前記網側既読／未読状態判別手段により未読と判別された前記非接続型データが前記網側記憶手段に格納されている場合には、未読の非接続型データが存在する旨の情報を前記携帯電話機へ送信する未読通知手段と
を具備することを特徴とする移動通信網。
【請求項９】
前記通信受け付け手段により通信が受け付けられた場合に、その旨を表す情報を前記携帯電話機へ送信する網側着信通知手段
を具備することを特徴とする請求項８のいずれかに記載の移動通信網。
【発明の詳細な説明】
【技術分野】
【０００１】
本発明は、通信モードとして通話を行うための通話モードとデータ通信を行うためのデータモードとを有する携帯電話機と当該携帯電話機を収容する移動通信網に関する。
【背景技術】
【０００２】
移動データ通信分野においては、携帯電話機に外部処理装置を接続し、携帯電話機経由で電子メールの送受信等のデータ通信を行うシステムが実用化されている。外部処理装置としてはノート型やブック型のコンピュータ、電子手帳等のＰＤＡ（Personal Digital(Data) Assistants）が挙げられる。この種のシステムでは、携帯電話機は外部処理装置により制御され、単なる通信路として機能する。
【０００３】
また、ＰＤＡに携帯電話機能を搭載した通信端末も開発されている。この種の通信端末は、通常、動作モードとして、通話を行うためのモードとデータ通信を行うためのモードとを有しており、当該通信端末の使用者は、必要に応じて、動作モードを使い分けている。
【発明の開示】
【発明が解決しようとする課題】
【０００４】
ところで、携帯電話機に外部処理装置を接続してなるシステムでは、携帯電話機以外に外部処理装置を携帯する必要があるため、携帯性に問題がある。また、通常の通話においては、携帯電話機を単体で使用するのが普通であるため、データ通信を行う際には携帯電話機と外部処理装置とを接続しなければならない。この接続にかかる手間は簡易化されつつあるが、何らかの作業が発生することには変わりがない。
【０００５】
一方、ＰＤＡに携帯電話機能を搭載した通信端末では、上記不都合は発生しない。しかし、ＰＤＡは、その性質上、多量の情報を格納する必要があるため、携帯電話機に比較して大きく、重く、高価である。これに対して、携帯電話機のみで電子メールの送受信サービス等を実現できれば、携帯性に優れた安価な移動データ通信端末を得ることができる。しかし、データ通信サービスはデータ蓄積型のサービスとなるのが普通であり、十分に高い品質でサービスを利用するためには携帯電話機に大容量のメモリを搭載する必要がある。このことは、携帯電話機の製造コストの上昇や携帯性の低下を招致する。
【０００６】
また、データ通信サービスの利用者が増加すると、移動通信網内に滞留するデータの増加が予想される。特に、携帯性を保つためにデータ記憶容量が制限される携帯電話機によりデータ通信サービスを利用する場合には、コンピュータやＰＤＡをデータ処理端末として当該サービスを利用する場合に比較して、移動通信網内に多くのデータが滞留する虞がある。
【０００７】
本発明は上述した事情に鑑みて為されたものであり、通話サービス及びデータ通信サービスを利用可能であり、大容量の記憶手段を備えることなく、データ通信サービスを単体で無理なく受けることができるとともに、網内に滞留するデータの増加を抑制することができる携帯電話機及び移動通信網を提供することを目的としている。
【課題を解決するための手段】
【０００８】
上述した課題を解決するために、請求項１に記載の携帯電話機は、通信モードとして通話を行うための通話モードとデータ通信を行うためのデータモードとを有する携帯電話機であって、使用者に情報を提示するための情報提示手段と、非接続型データの着信を受け付けて該非接続型データを受信する着信受け付け手段と、前記非接続型データを格納するための所定容量の記憶手段と、前記着信受け付け手段により受信された前記非接続型データを前記記憶手段に格納する格納手段と、前記通話モードの通信の終了時点を検出する通話終了検出手段と、前記記憶手段に格納された前記非接続型データの既読／未読状態を判別する既読／未読状態判別手段と、前記終了時点において、前記既読／未読状態判別手段により未読と判別された前記非接続型データが前記記憶手段に格納されている場合には、未読の非接続型データが存在する旨の情報を前記情報提示手段により提示させる未読通知制御手段とを具備することを特徴としている。この構成によれば、通話モードの通信の終了時点において、前記非接続型データが前記記憶手段に格納されている場合には、未読の非接続型データが存在する旨の情報が前記情報提示手段により提示される。
【０００９】
さらに上記構成において、前記情報提示手段は表示面を有し、前記未読通知制御手段は前記情報提示手段により、未読の非接続型データが存在する旨の画像を前記表示面に表示させるようにしてもよいし（請求項２）、前記情報提示手段は発音可能な発音器を備え、前記未読通知制御手段は前記発音手段の前記発音器により、前記未読の非接続型データが存在する旨の発音を行わせるようにしてもよい（請求項３）。
【００１０】
また、前述の課題を解決するために、請求項４に記載の携帯電話機は、通信モードとして通話を行うための通話モードとデータ通信を行うためのデータモードとを有する携帯電話機であって、使用者に情報を提示するための情報提示手段と、非接続型データの着信を受け付けて該非接続型データを受信する着信受け付け手段と、前記非接続型データを格納するための所定容量の記憶手段と、前記着信受け付け手段により受信された前記非接続型データを前記記憶手段に格納する格納手段と、前記記憶手段に格納された前記非接続型データの既読／未読状態を判別する既読／未読状態判別手段と、所定の状況下において、前記既読未読判別手段により未読と判別された前記非接続型データが前記記憶手段に格納されている場合には、利用者からの指示を入力することなく、前記記憶手段に格納されている未読の非接続型データを前記情報提示手段により自動的に提示させる自動未読提示制御手段とを具備することを特徴としている。この構成によれば、所定の状況下において、前記非接続型データが前記記憶手段に格納されている場合には、未読の非接続型データが前記情報提示手段により自動的に提示される。
【００１１】
さらに、請求項４に記載の携帯電話機において、前記自動未読提示制御手段は提示し未読の非接続型データの既読／未読状態を未読のままとするようにしてもよい（請求項５）。
【００１２】
また、前述の課題を解決するために、請求項６に記載の携帯電話機は、通信モードとして通話を行うための通話モードとデータ通信を行うためのデータモードとを有する携帯電話機であって、使用者に情報を提示するための情報提示手段と、非接続型データの着信を受け付けて該非接続型データを受信する着信受け付け手段と、前記着信受け付け手段により着信が受け付けられる非接続型データのサイズを検出するデータサイズ検出手段と、前記非接続型データを格納するための所定容量の記憶手段と、前記着信受け付け手段により受信された前記非接続型データを前記記憶手段に格納する格納手段と、前記記憶手段の空き容量を検出する空き容量検出手段と、前記空き容量検出手段により検出された前記空き容量が前記データサイズ検出手段により検出されたサイズの非接続型データを格納するに十分な容量でない場合には、前記着信受け付け手段に対して着信受け付け拒否指示を供給する着信拒否判定手段とを具備し、前記着信受け付け手段は、前記着信拒否判定手段から前記拒否指示を受け取ると、非接続型データの着信の受け付けを拒否することを特徴としている。この構成によれば、前記記憶手段の空き容量が非接続型データを格納するに十分な容量でない場合には、非接続型データの着信の受け付けが拒否される。
【００１３】
さらに、請求項６に記載の携帯電話機において、前記空き容量検出手段により検出された前記空き容量が前記データサイズ検出手段により検出されたサイズの非接続型データを格納するに十分な容量でない場合には、空き容量不足を表す情報を前記情報提示手段により提示させる空き容量不足提示制御手段を具備するようにしてもよい（請求項７）。
【００１４】
また、前述の課題を解決するために、請求項８に記載の携帯電話機は、通信モードとして通話を行うための通話モードとデータ通信を行うためのデータモードとを有する携帯電話機であって、使用者に情報を提示するための情報提示手段と、非接続型データの着信を受け付けて該非接続型データを受信する着信受け付け手段と、前記着信受け付け手段により着信が受け付けられる非接続型データのサイズを検出するデータサイズ検出手段と、前記非接続型データを格納するための所定容量の記憶手段と、前記着信受け付け手段により受信された前記非接続型データを前記記憶手段に格納する格納手段と、前記記憶手段の空き容量を検出する空き容量検出手段と、前記空き容量検出手段により検出された前記空き容量が前記データサイズ検出手段により検出されたサイズの非接続型データを格納するに十分な容量でない場合には、空き容量不足を表す情報を前記情報提示手段により提示させる空き容量不足提示制御手段とを具備することを特徴としている。この構成によれば、前記記憶手段の空き容量が前記非接続型データを格納するに十分な容量でない場合には、空き容量不足を表す情報が前記情報提示手段により提示される。
【００１５】
また、前述の課題を解決するために、請求項９に記載の携帯電話機は、通信モードとして通話を行うための通話モードとデータ通信を行うためのデータモードとを有する携帯電話機であって、使用者に情報を提示するための情報提示手段と、非接続型データの着信を受け付けて該非接続型データを受信する着信受け付け手段と、前記着信受け付け手段により着信が受け付けられる非接続型データのサイズを検出するデータサイズ検出手段と、前記非接続型データを格納するための所定容量の記憶手段と、前記着信受け付け手段により受信された前記非接続型データを前記記憶手段に格納する格納手段と、前記記憶手段の空き容量を検出する空き容量検出手段と、前記格納手段は、前記空き容量検出手段により検出された前記空き容量が前記データサイズ検出手段により検出されたサイズの非接続型データを格納するに十分な容量でない場合には、前記着信受け付け手段により新たに受け付けられた着信の非接続型データを既存の非接続型データに上書きして前記記憶手段に格納することを特徴としている。この構成によれば、既存の非接続型データが新たに受け付けられた着信の非接続型データにより上書きされる。
【００１６】
さらに、請求項９に記載の携帯電話機において、前記格納手段は、前記着信受け付け手段により受信された前記非接続型データを古さを特定するための情報とともに前記記憶手段に格納するとともに、前記記憶手段に格納された前記非接続型データを古いものから順に前記着信受け付け手段により新たに受け付けられた着信の非接続型データで上書きしていくようにしてもよいし（請求項１０）、前記記憶手段に格納された前記非接続型データのうち、上書き可能な非接続型データと上書き不可能な非接続型データとを判別する上書き可否状態判別手段を具備し、前記格納手段は、前記記憶手段に格納された前記非接続型データにおいて、前記上書き可否状態判別手段により上書き可能と判別された前記非接続データのみを用いて前記上書きを行うようにしてもよい（請求項１１）。
【００１７】
さらに、請求項１１に記載の携帯電話機において、前記上書き可否状態判定手段は既読の非接続型データを上書き可能と判別し、前記格納手段は、前記着信受け付け手段により受信された前記非接続型データを古さを特定するための情報とともに前記記憶手段に格納するとともに、前記上書き可否状態判別手段により上書き可能と判別された前記非接続データのうち、古いものから順に前記着信受け付け手段により新たに受け付けられた着信の非接続型データで上書きしていくようにしてもよいし（請求項１２）、前記記憶手段に格納された前記非接続データに対して上書き可否状態を設定する上書き可否状態設定手段を具備し、前記上書き可否状態判定手段は前記非接続データに設定された上書き可否状態に基づいて上書き可能な非接続型データと上書き不可能な非接続型データとを判別するようにしてもよい（請求項１３）。
【００１８】
さらに、請求項１３に記載の携帯電話機において、使用者の指示を入力するための指示入力手段を具備し、上書き可否状態設定手段は前記指示入力手段により入力された指示に基づいて、前記記憶手段に格納された前記非接続データに対して上書き可否状態を設定するようにしてもよい（請求項１４）。
【００１９】
さらに、請求項１１に記載の携帯電話機において、前記記憶手段の上書き可能な領域を含む使用可能容量を検出する使用可能容量検出手段と、前記使用可能容量検出手段により検出された前記使用可能容量が前記データサイズ検出手段により検出されたサイズの非接続型データを格納するに十分な容量でない場合には、前記着信受け付け手段に対して着信受け付け拒否指示を供給する着信拒否判定手段を具備し、前記着信受け付け手段は、前記着信拒否判定手段から前記拒否指示を受け取ると、非接続型データの着信の受け付けを拒否するようにしてもよい（請求項１５）。
【００２０】
さらに、請求項１５に記載の携帯電話機において、前記着信拒否判定手段は、前記使用可能容量検出手段により検出された前記使用可能容量が前記データサイズ検出手段により検出されたサイズの非接続型データを格納するに十分な容量でない場合には、さらに、空き容量不足を表す情報を前記情報提示手段により提示させるようにしてもよい（請求項１６）。
【００２１】
さらに、上記各携帯電話機において、前記情報提示手段は前記通話モードと前記データモードとで共用されるようにしてもよい（請求項１７）。
また、請求項１４に記載の携帯電話機において、前記指示入力手段は前記通話モードと前記データモードとで共用されるようにしてもよい（請求項１８）。
さらに、上記各携帯電話機において、前記着信受け付け手段により着信が受け付けられた場合に、その旨を使用者に通知する着信通知手段を具備するようにしてもよい（請求項１９）。
【００２２】
また、前述の課題を解決するために、請求項２０に記載の移動通信網は、通信モードとして通話を行うための通話モードとデータ通信を行うためのデータモードとを有する携帯電話機であって、受信した情報を使用者に提示するための情報提示手段を備えた携帯電話機を収容可能な移動通信網であって、前記携帯電話機宛の非接続型データの通信を受け付けて該非接続データを受信する通信受け付け手段と、前記非接続型データを格納するための所定容量の網側記憶手段と、前記通信受け付け手段により受信された前記非接続型データを前記記憶手段に格納する網側格納手段と、前記携帯電話機による通話モードの通信の終了時点を検出する網側通話終了検出手段と、前記記憶手段に格納された前記非接続型データの既読／未読状態を判別する網側既読／未読状態判別手段と、前記終了時点において、前記網側既読／未読状態判別手段により未読と判別された前記非接続型データが前記網側記憶手段に格納されている場合には、未読の非接続型データが存在する旨の情報を前記携帯電話機へ送信する未読通知手段とを具備することを特徴としている。この構成によれば、通話モードの通信の終了時点において、前記非接続型データが前記記憶手段に格納されている場合には、未読の非接続型データが存在する旨の情報が前記携帯電話機へ送信される。
【００２３】
また、前述の課題を解決するために、請求項２１に記載の移動通信網は、通信モードとして通話を行うための通話モードとデータ通信を行うためのデータモードとを有する携帯電話機であって、受信した情報を使用者に提示するための情報提示手段を備えた携帯電話機を収容可能な移動通信網であって、前記携帯電話機宛の非接続型データの通信を受け付けて該非接続データを受信する通信受け付け手段と、前記通信受け付けにより通信が受け付けられる非接続型データのサイズを検出する網側データサイズ検出手段と、前記非接続型データを格納するための所定容量の網側記憶手段と、前記通信受け付け手段により受信された前記非接続型データを前記記憶手段に格納する網側格納手段と、前記網側記憶手段の空き容量を検出する網側空き容量検出手段と、前記網側空き容量検出手段により検出された前記空き容量が前記データサイズ検出手段により検出されたサイズの非接続型データを格納するに十分な容量でない場合には、前記通信受け付け手段に対して通信受け付け拒否指示を供給する通信拒否判定手段とを具備し、前記通信受け付け手段は、前記通信拒否判定手段から前記拒否指示を受け取ると、非接続型データの通信の受け付けを拒否することを特徴としている。この構成によれば、前記網側記憶手段の空き容量が非接続型データを格納するに十分な容量でない場合には、非接続型データの通信の受け付けが拒否される。
【００２４】
さらに、請求項２１に記載の移動通信網において、前記網側空き容量検出手段により検出された前記空き容量が前記データサイズ検出手段により検出されたサイズの非接続型データを格納するに十分な容量でない場合には、空き容量不足を表す情報を前記携帯電話機へ送信する空き容量不足通知手段を具備するようにしてもよい（請求項２２）。
【００２５】
また、前述の課題を解決するために、請求項２３に記載の移動通信網は、通信モードとして通話を行うための通話モードとデータ通信を行うためのデータモードとを有する携帯電話機であって、受信した情報を使用者に提示するための情報提示手段を備えた携帯電話機を収容可能な移動通信網であって、非接続型データの通信を受け付けて該非接続型データを受信する通信受け付け手段と、前記通信受け付け手段により通信が受け付けられる非接続型データのサイズを検出する網側データサイズ検出手段と、前記非接続型データを格納するための所定容量の網側記憶手段と、前記通信受け付け手段により受信された前記非接続型データを前記網側記憶手段に格納する網側格納手段と、前記網側記憶手段の空き容量を検出する網側空き容量検出手段とを具備し、前記網側格納手段は、前記網側空き容量検出手段により検出された前記空き容量が前記網側データサイズ検出手段により検出されたサイズの非接続型データを格納するに十分な容量でない場合には、前記通信受け付け手段により新たに受け付けられた通信の非接続型データを既存の非接続型データに上書きして前記網側記憶手段に格納することを特徴としている。この構成によれば、既存の非接続型データが新たに受け付けられた通信の非接続型データにより上書きされる。
【００２６】
さらに、請求項２３に記載の移動通信網において、前記格納手段は、前記通信受け付け手段により受信された前記非接続型データを古さを特定するための情報とともに前記網側記憶手段に格納するとともに、前記網側記憶手段に格納された前記非接続型データを古いものから順に前記通信受け付け手段により新たに受け付けられた通信の非接続型データで上書きしていくようにしてもよいし（請求項２４）、前記網側記憶手段に格納された前記非接続型データのうち、上書き可能な非接続型データと上書き不可能な非接続型データとを判別する網側上書き可否状態判別手段を具備し、前記網側格納手段は、前記網側記憶手段に格納された前記非接続型データにおいて、前記網側上書き可否状態判別手段により上書き可能と判別された前記非接続データのみを用いて前記上書きを行うようにしてもよい（請求項２５）。
【００２７】
さらに、請求項２５に記載の移動通信網において、前記網側上書き可否状態判定手段は既読の非接続型データを上書き可能と判別し、前記格納手段は、前記通信受け付け手段により受信された前記非接続型データを古さを特定するための情報とともに前記網側記憶手段に格納するとともに、前記網側上書き可否状態判別手段により上書き可能と判別された前記非接続データのうち、古いものから順に前記通信受け付け手段により新たに受け付けられた通信の非接続型データで上書きしていくようにしてもよいし（請求項２６）、前記網側記憶手段に格納された前記非接続データに対して上書き可否状態を設定する網側上書き可否状態設定手段を具備し、前記網側上書き可否状態判定手段は前記非接続データに設定された上書き可否状態に基づいて上書き可能な非接続型データと上書き不可能な非接続型データとを判別するようにしてもよい（請求項２７）。
【００２８】
さらに、請求項２７に記載の移動通信網において、前記携帯電話機は使用者の指示を入力するための指示入力手段を備え、前記携帯電話機から送信されてきた指示を受信する指示受信手段を具備し、前記網側上書き可否状態設定手段は、前記指示受信手段により受信された指示に基づいて、前記網側記憶手段に格納された前記非接続データに対して上書き可否状態を設定するようにしている（請求項２８）。
【００２９】
さらに、請求項２５に記載の移動通信網において、前記網側記憶手段の上書き可能な領域を含む使用可能容量を検出する網側使用可能容量検出手段と、前記網側使用可能容量検出手段により検出された前記使用可能容量が前記網側データサイズ検出手段により検出されたサイズの非接続型データを格納するに十分な容量でない場合には、前記通信受け付け手段に対して通信受け付け拒否指示を供給する通信拒否判定手段を具備し、前記通信受け付け手段は、前記通信拒否判定手段から前記拒否指示を受け取ると、非接続型データの通信の受け付けを拒否するようにしてもよい（請求項２９）。
【００３０】
さらに、請求項２９に記載の移動通信網において、前記網側空き容量検出手段により検出された前記空き容量が前記データサイズ検出手段により検出されたサイズの非接続型データを格納するに十分な容量でない場合には、空き容量不足を表す情報を前記携帯電話機へ送信する空き容量不足通知手段を具備するようにしてもよい（請求項３０）。
【００３１】
さらに、請求項２０乃至３０のいずれかに記載の移動通信網において、前記通信受け付け手段により通信が受け付けられた場合に、その旨を表す情報を前記携帯電話機へ送信する網側着信通知手段を具備するようにしてもよい。
【発明の効果】
【００３２】
本発明によれば、携帯電話機の使用者が携帯電話機の情報提示手段を注視している可能性が高い状況下で、未読の非接続型データが存在する旨の情報、あるいは未読の非接続型データそのものを情報提示手段により提示するようにしたため、これを視認した使用者の操作により、移動通信システム内の滞留データの減少が期待される。
また、記憶手段の空き容量が非接続型データを格納するに十分な容量でない場合には、空き容量不足を表す情報を情報提示手段により提示するようにしたため、これを視認した使用者の操作により、移動通信システム内の滞留データの減少が期待される。
さらに、既存の非接続型データが新たに受け付けられた着信の非接続型データにより上書き消去されるようにしたため、移動通信システム内の滞留データの増加を抑制することができる。
【発明を実施するための最良の形態】
【００３３】
以下、図面を参照して、本発明の実施形態について説明する。なお、本発明は、かかる実施形態に限定されず、その技術思想の範囲内で種々の変更が可能である。
【００３４】
Ａ：実施形態の共通構成
まず、各実施形態に共通した構成について説明する。
Ａ−１：移動通信システムの全体構成
図１はこの発明の各実施形態において共通した移動通信システムの構成を示すブロック図である。
同図において、ＭＳは、移動パケット通信網ＭＰＮのパケット通信サービスを受ける携帯電話機である。この携帯電話機ＭＳは、この図に示す移動パケット通信網ＭＰＮ及び移動電話網ＭＴＮに接続されている。移動電話網ＭＴＮは一般的な移動電話の通話サービスを提供する網であり、携帯電話機ＭＳは当該通話サービスを受けることができる。携帯電話機ＭＳの構成については後述する。なお、移動電話網ＭＴＮは後述する基地局ＢＳと回線交換サービスを提供するデジタル移動通信用交換機ＭＬＳと後述する加入者データベースＵＤＢとから構成されている。
【００３５】
移動パケット通信網ＭＰＮは、基地局ＢＳ、パケット加入者処理装置ＰＳ、ゲートウェイサーバＧＷＳ、加入者データベースＵＤＢ、およびこれらを接続する通信回線によって構成されている。
基地局ＢＳは、地上を例えば半径５００ｍ等の範囲で分割した所定間隔で配置されており、各々が形成する無線ゾーンに在圏した携帯電話機ＭＳとの間で無線通信を行う。
パケット加入者処理装置ＰＳは、複数の基地局ＢＳを収容するパケット加入者交換局に備えられたコンピュータシステムであり、携帯電話機ＭＳからのパケット交換要求を受け付けるとともに、移動パケット通信網ＭＰＮ内におけるパケット交換を中継する。
【００３６】
ゲートウェイサーバＧＷＳは、移動パケット通信網ＭＰＮとインターネットＩＮＥＴ等の他のネットワークとを相互接続するための移動パケット関門中継交換局に備えられたコンピュータシステムであり、加入者データベースＵＤＢを参照して各種サービスを提供するとともに、ネットワーク間で異なる通信プロトコルの変換を行う。ここでいう通信プロトコルの変換とは、具体的には、移動パケット通信網ＭＰＮが従う移動パケット通信網用の伝送プロトコルと、インターネットＩＮＥＴ等の他のネットワークが従うＴＣＰ／ＩＰ（Transmission Control Protocol/Internet Protocol）との相互変換をいう。また、ゲートウェイサーバＧＷＳは、ＩＰサーバＷと連携して、電子メールの送受信等の情報配信サービスおよび各種アプリケーションに関する制御を行う。
【００３７】
加入者データベースＵＤＢは、移動パケット通信網ＭＰＮの加入者に関する登録情報からなる加入者登録情報ファイルを保持している。図２は、この加入者データベースＵＤＢの内容を例示するデータフォーマット図である。同図に示すように、加入者登録情報ファイルには、移動パケット通信網ＭＰＮの加入者（すなわち携帯電話機ＭＳのユーザ）ごとに、携帯電話機ＭＳの電話番号、氏名、性別、生年月日、ゲートウェイサーバＧＷＳにおける電子メールの格納場所（後述する記憶部Ｇｂ）等の各加入者に対応したデータが蓄積されている。
【００３８】
ＩＰサーバＷは、ＩＰが運用するサーバシステムであり、ユーザに提供すべき報をＨＴＭＬ（Hyper Text Markup Language）形式のデータとしてネットワークへ送出する。このＩＰサーバＷには、インターネットＩＮＥＴを介してゲートウェイサーバＧＷＳに接続されるものや、専用線を介してゲートウェイサーバＧＷＳに接続されるものがある。なお、ＩＰサーバＷをゲートウェイサーバＧＷＳ内部に設けることも可能である。
【００３９】
Ａ−２：ゲートウェイサーバＧＷＳの構成
次に、ゲートウェイサーバＧＷＳの構成を説明する。図３はゲートウェイサーバＧＷＳの構成を示すブロック図である。同図において、ゲートウェイサーバＧＷＳは、システム制御部Ｉ−ＭＡＸ、顧客情報管理部Ｕ−ＭＡＸ、電子メール管理部Ｍ−ＭＡＸ、およびこれら各部を接続するバスＢＵＳによって構成されている。
【００４０】
システム制御部Ｉ−ＭＡＸは、当該ゲートウェイサーバＧＷＳの各部を制御するとともに、移動パケット通信網ＭＰＮとインターネットＩＮＥＴ等の他のネットワークとの間のプロトコル変換を行う等、ネットワーク間のインタフェースとして機能する。
顧客情報管理部Ｕ−ＭＡＸは、加入者データベースＵＤＢを参照して得られる加入者登録情報等を記憶、管理している。
【００４１】
電子メール管理部Ｍ−ＭＡＸは、携帯電話機ＭＳのユーザ間、携帯電話機ＭＳのユーザとインターネットＩＮＥＴ等の他のネットワークのユーザの間、もしくは携帯電話機ＭＳのユーザとＩＰサーバＷの間で電子メールの授受を仲介する。この電子メール管理部Ｍ−ＭＡＸは、授受される電子メールを、宛先ごとに蓄積するメールボックス（記憶部Ｇｂ）を備えている。
【００４２】
Ａ−３：携帯電話機ＭＳの構成
図２は携帯電話機ＭＳのハードウェア構成を示すブロック図であり、この図に示すように、携帯電話機ＭＳは、基地局ＢＳとの無線通信を行う送受信部（例えばアンテナ、無線部、送信機、受信機等を有する）１１、音を入力するための集音部（例えばマイク）１２、発音するための発音部（例えばスピーカ）１３、数字入力、文字入力等の指示入力操作が行われる、キーパッド等を備えた指示入力部１４、液晶パネル等を有する液晶ディスプレイ１５、これら各部を制御する制御部１６を内蔵している。また、制御部１６は各種制御を行うＣＰＵ（Central Processing Unit）１６１と、ＣＰＵ１６１に実行される動作プログラムを格納したＲＯＭ（Read Only Memory）１６２と、電話帳データ等のユーザデータを格納するＳＲＡＭ(Static Random Access Memory)１６３とを内蔵しており、図示せぬ電源が投入されると、ＣＰＵ１６１は、ＲＯＭ１６２に格納されたプログラムを読み出して実行し、ＳＲＡＭ１６３、送受信部１１、集音部１２、発音部１３、指示入力部１４、液晶ディスプレイ１５を制御する。
【００４３】
携帯電話機ＭＳは、通信モードとして、通話を行うための通話モードとデータ通信を行うためのデータモードとを備えており、通信モードがデータモードに遷移した際には、ＲＯＭ１６２に格納された文書データ閲覧用のソフトウェア（いわゆるブラウザ）を読み出し、当該ブラウザを実行することにより、ＩＰから移動パケット通信網ＭＰＮを介し供給されるＨＴＭＬ形式のデータ（以下、ＨＴＭＬデータという）に基づいて、液晶ディスプレイ１５に対話画面を表示させる。なお、指示入力部１４および液晶ディスプレイ１５は通話モードとデータモードとで共用される。
【００４４】
Ｂ：第１実施形態
次に、本発明の第１実施形態に係る携帯電話機を用いた移動通信システムについて説明する。なお、当該移動通信システムのハードウェア構成は上述の共通構成と同一であるものとする。したがって、各部の符号については、前述のものをそのまま使用する。
【００４５】
Ｂ−１：移動パケット通信網ＭＰＮ及び移動電話網ＭＴＮの機能構成
なお、第１実施形態における移動パケット通信網ＭＰＮは、携帯電話機ＭＳに対して電子メール（非接続型データ：コネクションレス型データ）をプッシュ方式で送信する機能を備えている。具体的には、移動パケット通信網ＭＰＮは、まず、通信モードに関わらず携帯電話機ＭＳが受信可能な着信要求を送信し、携帯電話機ＭＳに対して電子メールを送信する許可を求め、着信が受け付けられたら当該電子メールを送信する。なお、上記着信要求には、電子メールのサイズを示す情報が含まれている。上述した点を除いては、移動パケット通信網ＭＰＮ及び移動電話網ＭＴＮとも先に説明した通りであるので、これ以上の説明を省略する。
【００４６】
Ｂ−２：携帯電話機ＭＳの機能構成
次に、本発明の特徴的な部分について携帯電話機ＭＳが備えた機能について説明する。なお、他の機能については、一般的な携帯電話機が備えており、周知であるために説明を省略する。
【００４７】
図５は本発明の特徴的な部分について携帯電話機ＭＳの機能構成を説明するためのブロック図である。
この図に示す制御部１６において、着信受け付け部１６ａは送受信部１１から着信要求が供給されると、当該着信要求を受け取った旨の情報を着信通知部１６ｑへ出力するとともに、後述する着信拒否判定部１６ｈからの指示を受け取るまで待機し、当該指示が着信許可指示であれば当該着信要求に対する受け付け処理を行い、当該指示が着信拒否指示であれば当該着信要求に対する受け付け処理を行わない。また、着信受け付け部１６ａは、受け付け処理後に送受信部１１から供給されてくる電子メールを受け取り、後述の格納部１６ｄへ出力する。
【００４８】
記憶部１６ｂは電子メールを記憶するためのものであり、所定の記憶容量を有する。
上書き可否判別部１６ｃは、着信受け付け部１６ａが着信要求を受け取った時に作動し、記憶部１６ｂに記憶された電子メールにおいて、上書き可能（すなわち消去可能）な電子メールと上書き不可能な電子メールとを判別し、この判別結果を格納部１６ｃへ出力する。ここでは、上記判別処理は、電子メールに対応付けて記憶された上書き可否情報を参照することにより実現されている。なお、上書き可否判別部１６ｃから出力される判別結果には、上書き可能な電子メールと対応する受信時刻情報が含まれている。
【００４９】
格納部１６ｄは、記憶部１６ｂの使用状況を監視し、着信受け付け部１６ａから出力された電子メールを受け取ると、上書き可否判別部１６ｃの判別結果と上記使用状況とに基づいて特定される記憶部１６ｂ上の領域から、予め設定された書き込み規則と上記電子メールのサイズとに基づいた領域を選択し、この領域内に当該電子メールとその受信時刻情報を上書き不可能な電子メールとして書き込む。なお、当該領域内に他の電子メールが既に存在する場合には、当該電子メールは、新たな電子メールにより上書きされる。なお、本実施形態における上記書き込み規則は、基本的には空き領域へ書き込み、空き領域が不足した場合には上書き可能な電子メールに上書きする、というものである。ただし、上書き可能な電子メールに上書きする場合には受信時刻の古いものから上書きされる。
上書き可否設定部１６ｅは、指示入力部１４から入力される指示に基づいて、記憶部１６ｂに記憶された電子メールについて、対応する上書き可否情報の内容を変更する。
【００５０】
データサイズ検出部１６ｆは、送受信部１１から着信要求が供給されると、当該着信要求に含まれている後続データのサイズ情報を抽出し、当該サイズ情報を用いて当該着信要求に後続する電子メールのデータサイズを検出し、検出結果を着信拒否判定部１６ｈへ出力する。
使用可能容量検出部１６ｇは、着信受け付け部１６ａが着信要求を受け取った時に作動し、記憶部１６の使用状況と、記憶部１６に記憶された電子メールに対する上書き可否判別部１６ｃの判別結果とに基づいて、記憶部１６ｂにおいて新たなデータの記憶に使用可能な領域のサイズ（以後、使用可能容量）を求め、当該使用可能容量を着信拒否判定部１６ｈに知らせる。具体的には、使用可能容量検出部１６ｇは、記憶部１６ｂの空き容量と上書き可能な電子メールが記憶部１６ｂにおいて占めている容量との和を使用可能容量とする。
【００５１】
着信拒否判定部１６ｈは、上記データサイズと上記使用可能容量とを比較し、前者が後者を十分に超過している場合には着信拒否指示を、着信受け付け部１６ａへ出力するとともに、空き容量不足通知指示を後述の空き容量不足通知部１６ｉへ出力する。また、着信拒否判定部１６ｈは、上記データサイズが上記使用可能容量を十分に超過していない場合には、着信許可指示を着信受け付け部１６ａへ出力する。なお、「使用可能容量がデータサイズを十分に超過している」とは、使用可能容量が、受信時刻情報や上書き可否情報、後述する未読／既読状態情報などを書き込むために必要となる容量をデータサイズに加算した容量以上であることを意味している。
空き容量不足通知部１６ｉは、着信拒否判定部１６ｈからの空き容量不足通知指示を受け取ると、「メモリの空き容量が不足しています」というメッセージを液晶ディスプレイ１５の液晶パネル１５ａに表示するための表示制御データを後述の画像生成部１６ｐへ出力する。
【００５２】
通話終了検出部１６ｊは、送受信部１１から供給される情報を監視し、通話モードでの通話終了時点を検出し、通話終了通知を後述の未読通知部１６ｍへ出力する。
既読／未読判別部１６ｋは、通話終了検出部１６ｊが通話終了を検出した時に作動し、記憶部１６ｂに記憶された電子メールにおいて、ユーザに読まれていない未読の電子メールと、既にユーザに読まれた既読の電子メールとを判別し、この判別結果を未読通知部１６ｍへ出力する。ここでは、上記判別処理は、電子メールに対応付けて記憶された未読／既読状態情報を参照することにより実現されている。なお、上記判別結果には、未読の電子メールの数を表す情報が含まれる。
【００５３】
未読通知部１６ｍは、通話終了検出部１６ｊから通話終了通知を受け取ると、既読／未読判別部１６ｋからの判別結果を受け取るまで待機し、当該判別結果を受け取ると、当該判別結果により示された未読の電子メールの数に基づいた処理を行う。具体的には、未読の電子メールの数が０であれば何も行わず、未読の電子メールの数が１以上であれば、「未読の電子メールがｎ通あります」というメッセージ（ただし、メッセージ中のｎは未読の電子メールの数を表す）を液晶パネル１５ａに表示するための表示制御データを後述の画像生成部１６ｐへ出力する。
【００５４】
データ表示部１６ｎは、指示入力部１４から入力された指示に従って、記憶部１６ｂに記憶された電子メールを読み出し、当該電子メールを液晶パネル１５ａに表示するための表示制御データを後述の画像生成部１６ｐへ出力するとともに、読み出した電子メールが未読の電子メールであれば、当該電子メールに対応して記憶部１６ｂに記憶された未読／既読状態情報を既読状態を表す情報に書き換える。
画像生成部１６ｐは、各部から供給された表示制御データに従った画像データを生成し、液晶ディスプレイ１５へ供給する。
【００５５】
着信通知部１６ｑは、着信受け付け部１６ａが着信要求を受け取った旨の情報を受け取ると、ユーザに着信があったことを知らせる音を発音部１３により発音させるための音響データを生成し、発音部１３へ供給する。
【００５６】
Ｂ−３：移動通信システムの動作
次に、上述した通信システムの動作について説明する。ただし、本発明の特徴的な動作以外の動作についてはその説明を省略する。
【００５７】
（１）表示及び上書き可否情報の変更動作
図５において、指示入力部１４から所望の電子メールを表示する旨の指示が入力されると、データ表示部１６ｎは、記憶部１６ｂから当該指示に応じた電子メールを読み出し、画像生成部１６ｐを介して液晶ディスプレイ１５の液晶パネル１５ａに当該電子メールの内容を表示するとともに、当該電子メールが未読の電子メールであれば、当該電子メールに対応して記憶部１６ｂに記憶された未読／既読状態情報を既読状態を表す情報に書き換える。
【００５８】
また、指示入力部１４から所望の電子メールの上書き可否情報を変更する旨のデータが入力されると、上書き可否設定部１６ｅは、記憶部１６ｂ内の当該電子メールに対応した上書き可否情報を読み出し、現在の上書き可否状態と異なるよう上書き可否状態を書き換える。なお、ユーザが所望の電子メールを選択したり当該電子メールの属性を参照したりするためのユーザインタフェースについては周知の電子メール管理ソフトウェアと同様手法を採用可能であるため、その説明を省略する。
【００５９】
（２）着信及び書き込み動作
着信受け付け部１６ａが着信要求を受け取ると、着信通知部１６ｑにより、発音部１３から、ユーザに着信を通知する音が発音される。これにより、ユーザは電子メールの着信があったことを迅速に知ることができる。以降の動作は状況によって異なるため、以下に場合分けして説明する。
【００６０】
(i)記憶部１６ｂの空き容量が十分の場合の動作
着信受け付け部１６ａが着信要求を受け取った時点で、当該着信要求に後続する電子メールのサイズに比較して記憶部１６ｂの空き容量が十分に大きい場合には、着信拒否判定部１６ｈから着信受け付け部１６ａへ着信許可指示が供給される。このため、着信受け付け部１６ａにおいて当該着信の受け付け処理が行われ、上記電子メール及び受信時刻情報が格納部１６ｄにより記憶部１６ｂの空き領域に書き込まれる。この際、上書き不可能であることを示す上書き可否情報、及び未読であることを示す未読／既読状態情報も当該電子メールに対応付けて記憶部１６ｂの空き領域に書き込まれる。
【００６１】
(ii)記憶部１６ｂの空き容量が不十分かつ使用可能容量が十分の場合の動作
着信受け付け部１６ａが着信要求を受け取った時点で、当該着信要求に後続する電子メールのサイズに比較して、記憶部１６ｂの空き容量が不十分かつ使用可能容量が十分の場合、着信拒否判定部１６ｈから着信受け付け部１６ａへ着信許可指示が供給される。このため、上述の場合と同様の処理が行われる。この際、記憶部１６ｄに既に存在していた上書き可能な電子メールと当該電子メールに対応する各種情報が、受信時刻の古いものから順に上書き消去される。
【００６２】
(iii)記憶部１６ｂの使用可能容量が不十分の場合の動作
着信受け付け部１６ａが着信要求を受け取った時点で、当該着信要求に後続する電子メールのサイズに比較して、記憶部１６ｂの使用可能容量が不十分の場合、着信拒否判定部１６ｈから着信受け付け部１６ａへ着信拒否指示が供給される。このため、着信受け付け部１６ａにおいて当該着信の受け付け処理が行われない。
【００６３】
（３）通話モードの通話終了時の動作
通話モードでの通話が終了すると、このことが通話終了検出部１６ｊにより検出される。そして、この検出時点で、既読／未読判別部１６ｋにより、記憶部１６ｂに存在する未読の電子メールの数（ここではｎとする）が未読通知部１６ｍへ供給される。未読通知部１６ｍは、ｎが１以上の場合には、画像生成部１６ｐを介して、液晶ディスプレイ１５の液晶パネル１５ａに「未読の電子メールが２通あります」という文字列を表示させる。一方、ｎが０の場合、未読通知部１６ｍは何もしない。
【００６４】
Ｂ−４：変形例
次に、上述した携帯電話機ＭＳの変形例について説明する。
（１）構成
図６は本発明の第１実施形態に係る携帯電話機ＭＳの変形例の機能構成を示す図であり、図５と共通する部分には同一の符号を付し、その説明を省略する。この図に示す機能構成が図５に示す機能構成と異なる点は、既読／未読判別部１６ｋ及び未読通知部１６ｍに代えて既読／未読判別部１６ｒ及び状態表示部１６ｓを設けた点である。
【００６５】
既読／未読判別部１６ｒは、通話終了検出部１６ｊが通話終了を検出した時に作動し、記憶部１６ｂに記憶された電子メールにおいて、ユーザに読まれていない未読の電子メールと、既にユーザに読まれた既読の電子メールとを判別し、この判別結果を後述の未読通知部１６ｓへ出力する。ここでは、上記判別処理は、電子メールに対応付けて記憶された未読／既読状態情報を参照することにより実現されている。なお、上記判別結果には、全ての未読の電子メールの内容が含まれている。
【００６６】
未読通知部１６ｓは、通話終了検出部１６ｊから通話終了通知を受け取ると、既読／未読判別部１６ｒからの判別結果を受け取るまで待機し、当該判別結果を受け取ると、当該判別結果の内容に基づいた処理を行う。具体的には、当該内容が空であれば何も行わず、何らかのデータ（全ての未読の電子メールの内容）であれば当該データを液晶ディスプレイ１５の液晶パネル１５ａに表示するための表示制御データを画像生成部１６ｐへ出力する。
【００６７】
（２）動作
本変形例の動作が第１実施形態に係る携帯電話機ＭＳの動作と異なる点は、通話モードの通話終了時において記憶部１６ｂに未読の電子メールが存在する場合には、液晶ディスプレイ１５の液晶パネル１５ａに全ての未読の電子メールの内容が表示される点のみである。
【００６８】
Ｂ−５：第１実施形態及び変形例の補足
上述した第１実施形態及び変形例によれば、受信した情報を迅速に整理、削除することが、ユーザに対して自動的に要求されるため、携帯電話機ＭＳに滞留するデータ量の低減を期待できる。このことは、移動パケット通信網ＭＰＮにおける滞留データの低減を期待できることをも意味している。
なお、第１実施形態及び変形例において、以下の変形を行ってもよい。
（１）上書き可否判別部１６ｃにおいて、既読の電子メールを上書き可能な電子メールと判別するようにしてもよい。
（２）前述の書き込み規則は一例に過ぎない。また、書き込み規則自体をユーザが設定できるようにしてもよい。
（３）電子メールの着信や空き容量不足、未読の電子メールの存在等を表す情報を通知する手段としては、聴覚、視覚はもちろん、触覚（例えば振動）に訴える手段のうち任意の手段を採用可能である。
また、変形例において、ユーザが手動表示した未読の電子メールのみならず、通話終了時に自動的に表示された未読の電子メールについても、未読／既読状態情報を既読を示すものに書き換えるようにしてもよい。
【００６９】
Ｃ：第２実施形態
次に、本発明の第２実施形態に係る移動パケット通信網を用いた移動通信システムについて説明する。なお、当該移動通信システムのハードウェア構成は上述の共通構成と同一であるものとする。したがって、各部の符号については、前述のものをそのまま使用する。
【００７０】
Ｃ−１：携帯電話機ＭＳの機能構成
第２実施形態における携帯電話機ＭＳは、ゲートウェイサーバＧＷＳからの各種通知を通信モードに関わらずに受信できる機能と、ゲートウェイサーバＧＷＳにおける自携帯電話機ＭＳ宛の電子メールの上書き可否を変更するための上書き可否変更指示をゲートウェイサーバＧＷＳへ送信する機能とを備えている。この点を除いては、「Ａ：実施形態の共通構成」にて説明した通りであるので、これ以上の説明を省略する。
【００７１】
Ｃ−２：移動パケット通信網ＭＰＮの機能構成
次に、本発明の特徴的な部分について移動パケット通信網ＭＰＮ（実質的にはゲートウェイサーバＧＷＳ）が備えた機能について説明する。
【００７２】
図７は本発明の特徴的な部分についてゲートウェイサーバＧＷＳの機能構成を説明するためのブロック図である。この図に示す機能構成は、図３に示すシステム制御部Ｉ−ＭＡＸ、顧客情報管理部Ｕ−ＭＡＸ、電子メール管理部Ｍ−ＭＡＸがバスＢＵＳを介して通信しながら協動することにより実現される。ただし、説明が繁雑となるのを避けるために、図示されたゲートウェイサーバＧＷＳの機能構成は、一つの携帯電話機ＭＳのみに対応したものとなっている。
【００７３】
また、図７において、図５に示す各構成要素と対応する要素には末尾のアルファベットが一致する符号を付した。末尾のアルファベットが一致する符号が付された構成要素は、図５中の対応する要素と似た処理を行うため、ここでは、相違点についてのみ説明する。なお、図７には、図５中のデータ表示部１６ｎ，画像生成部１６ｐに相当する構成要素は存在しない。
【００７４】
通信受け付け部Ｇａは、ＩＰ側からの通信要求に対して、着信受け付け部１６ａが送受信部１１からの着信受け付け要求について行う処理と同様の処理を行う。
上書き可否設定部Ｇｅは、携帯電話機ＭＳ側からの上書き可否変更指示に基づいて、記憶部Ｇｂに記憶された電子メールについて、対応する上書き可否情報の内容を変更する。
【００７５】
データサイズ検出部Ｇｆは、ＩＰ側からの通信要求に対して、データサイズ検出部１６ｆが送受信部１１からの着信受け付け要求について行う処理と同様の処理を行う。
空き容量不足通知送信部Ｇｉは、通信拒否判定部Ｇｈから空き容量不足通知指示を受け取ると、「サーバ内のデータを削除して下さい」というメッセージを、携帯電話機ＭＳの液晶ディスプレイ１５の液晶パネル１５ａに表示させるための空き容量不足通知を携帯電話機ＭＳへ送信する。
【００７６】
未読通知送信部Ｇｍは、通話終了検出部Ｇｊから通話終了通知を受け取ると、既読／未読判別部Ｇｋからの判別結果を受け取るまで待機し、当該判別結果を受け取ると、当該判別結果により示された未読の電子メールの数に基づいた処理を行う。具体的には、未読の電子メールの数が０であれば何も行わず、未読の電子メールの数が１以上であれば、「サーバ内に未読の電子メールがｎ通あります」というメッセージ（ただし、メッセージ中のｎは未読の電子メールの数を表す）を携帯電話機ＭＳの液晶ディスプレイ１５の液晶パネル１５ａに表示するための未読通知を携帯電話機ＭＳへ送信する。
【００７７】
着信通知送信部Ｇｑは、通信受け付け部Ｇａが通信要求を受け取った旨の情報を受け取ると、「サーバに着信要求がありました」というメッセージを、携帯電話機ＭＳの液晶ディスプレイ１５の液晶パネル１５ａに表示させるための着信通知を携帯電話機ＭＳへ送信する。
【００７８】
Ｃ−３：移動パケット通信網ＭＰＮの動作
移動パケット通信網ＭＰＮの動作については、上述した構成の説明と第１実施形態に対する説明とから容易に推測されるため、その説明を省略する。
【００７９】
Ｃ−４：第２実施形態の補足
上述した第２実施形態によれば、受信した情報を迅速に整理、削除することが、ユーザに対して自動的に要求されるため、移動パケット通信網ＭＰＮにおける滞留データの低減を期待することができる。
また、「Ｂ−５：第１実施形態及び変形例の補足」にて述べた事項（１）〜（３）は上述した第２本実施形態にも当てはまる。
【００８０】
Ｄ：全体の補足
（１）制御部１６内の記憶手段は、ＲＯＭやＳＲＡＭに限定されない。例えば、ＥＥＰＲＯＭ（Electrically Erasable Programmable Read Only Memory）やＥ
ＰＲＯＭ（Erasable Programmable Read Only Memory）、ＤＲＡＭ（Dynamic Random Access Memory）等を採用してもよい。
【００８１】
（２）第２実施形態に係る移動パケット網ＭＰＮから携帯電話機側へプッシュ方式で電子メールを送信するようにすれば、第１実施形態に係る携帯電話機ＭＳと第２実施形態に係る移動パケット網ＭＰＮとを組み合わせた移動通信システムを構築することができる。
（３）データモードで送受されるデータの例としてＨＴＭＬデータを挙げたが、これに限定されないことは言うまでもない。
（４）非接続型データの例として電子メールを挙げたが、これに限定されないことは言うまでもない。
【図面の簡単な説明】
【００８２】
【図１】本発明の各実施形態に共通した移動通信システムの構成を示すブロック図である。
【図２】同移動通信システムを構成するユーザデータベースＵＤＢを説明するための図である。
【図３】同移動通信システムを構成するゲートウェイサーバＧＷＳの構成を示すブロック図である。
【図４】同移動通信システムを構成する携帯電話機ＭＳの構成を示すブロック図である。
【図５】本発明の第１実施形態に係る携帯電話機ＭＳの機能構成を示すブロック図である。
【図６】本発明の第１実施形態の変形例の機能構成を示すブロック図である。
【図７】本発明の第２実施形態に係るゲートウェイサーバＧＷＳの機能構成を示すブロック図である。
【符号の説明】
【００８３】
１１…送受信部、１２…集音部、１３…発音部、１４…指示入力部、１５…液晶ディスプレイ、１５ａ…液晶パネル、１６…制御部、１６ａ…着信受け付け部、１６ｂ，Ｇｂ…記憶部、１６ｃ，Ｇｃ…上書き可否判別部、１６ｄ，Ｇｄ…格納部、１６ｅ，Ｇｅ…上書き可否設定部、１６ｆ，Ｇｆ…データサイズ検出部、１６ｇ，Ｇｆ…使用可能容量検出部、１６ｈ…着信拒否判定部、１６ｉ…空き容量不足通知部、１６ｊ，Ｇｊ…通話終了検出部、１６ｋ，Ｇｋ…既読／未読判別部、１６ｍ…未読通恥部、１６ｎ…データ表示部、１６ｐ…画像生成部、１６ｑ…着信通知部、ＢＳ…基地局、ＤＭＫ…データモードキー、Ｇａ…通信受け付け部、Ｇｈ…通信拒否判定部、Ｇｉ…空き容量不足通知送信部、Ｇｍ…未読通知送信部、Ｇｑ…着信通知送信部、ＧＷＳ…ゲートウェイサーバ、ＩＮＥＴ…インターネット、ＭＬＳ…デジタル移動通信用交換機、ＭＰＮ…移動パケット通信網、ＭＳ…携帯電話機、ＭＴＮ…移動電話網、ＰＳ…パケット加入者処理装置、Ｗ…ＩＰサーバ
【図１】
2005137020.tif 000003
【図２】
2005137020.tif 000004
【図３】
2005137020.tif 000005
【図４】
2005137020.tif 000006
【図５】
2005137020.tif 000007
【図６】
2005137020.tif 000008
【図７】
2005137020.tif 000009